(57)【要約】【課題】排紙を行う機器の排紙トレイ構造、詳細には長い用紙も引っかかることなく排紙できる排紙トレイ構造を提供する。【解決手段】大量排紙装置１０の排紙トレイ１２の出側部分に、傾斜の異なる二つの斜面を連結して形成した斜面を設ける。斜面部１２ａは、排出方向へ向かって凹みつつ、かつなだらかに上方へカーブし、中央に排紙方向に沿って設けた溝部１２ｂを有する。排出されてきた用紙Ｐが排紙方向に長いサイズの場合、用紙Ｐの先端は斜面部１２ａに沿って上方へと進行方向を変えていく。このような排紙状態になっても、後流側の機器の排紙トレイ１２の出側部分に位置する壁面は、排紙される用紙Ｐの先端に対して壁となることはなく、サイズが大きい用紙でも、排紙トレイ１２の先端の斜面部１２ａを設けることで、排紙の際の引っかかりを無く排出できる。【選択図】図１
2012188243.tif 000002
【特許請求の範囲】
【請求項１】
用紙の排紙部の用紙排出方向先端に、排出される用紙の移動方向を上方へ向ける斜面部を有することを特徴とする排紙トレイ構造。
【請求項２】
用紙の排紙部の排出口から離れた箇所に、排出される用紙の移動方向を上方へ向ける斜面部を有することを特徴とする排紙トレイ構造。
【請求項３】
請求項１または２の排紙トレイ構造において、
前記斜面部が、排出される用紙の移動方向に凹みつつ斜め上方へ向かう斜面をなすことを特徴とする排紙トレイ構造。
【請求項４】
請求項１または２の排紙トレイ構造において、
前記斜面部が、排出される用紙の移動方向に凹みつつ斜め上方へ向かう斜面をなすことを特徴とする排紙トレイ構造。
【請求項５】
請求項１または２の排紙トレイ構造において、
前記斜面部が、排出される用紙の移動方向に凹みつつ斜め上方へ向かう斜面を用紙の移動方向で前半部分に設け、後半部分に上方へ若干凸となる曲線を描く斜面部分を設けてなることを特徴とする排紙トレイ構造。
【請求項６】
請求項１または２の排紙トレイ構造において、
前記斜面部が、二つの斜面を角度をつけてそのまま連絡させてなり、該連結させた部分に、二つの斜面の間をつなぐ第３の斜面を設け、該第３の斜面が、排出されてきた用紙を斜め上方へ向ける面を有することを特徴とする排紙トレイ構造。
【請求項７】
請求項６の排紙トレイ構造において、
前記第３の斜面を、断面が三角形状のつなぎ部分で構成してなることを特徴とする排紙トレイ構造。
【請求項８】
請求項１または２の排紙トレイ構造において、前記第３の斜面を、前記前半部分と後半部分をなす斜面とは傾斜角度が異なる斜面で構成してなることを特徴とする排紙トレイ構造。
【請求項９】
画像形成装置から排出される用紙を集積する用紙スタック装置であって、
請求項１から８のいずれかに記載の排紙トレイ構造を有する排紙トレイを備えたことを特徴とする用紙スタック装置。
【請求項１０】
画像形成部と、該画像形成部での画像形成を経た用紙を排出する排紙トレイを備え、該排紙トレイが、請求項１から８のいずれかに記載の排紙トレイ構造を有することを特徴とする画像形成装置。
【発明の詳細な説明】
【技術分野】
【０００１】
本発明は、排紙を行う機器の排紙トレイ構造、詳細には長い用紙も引っかかることなく排紙できる排紙トレイ構造に関し、また、これを用いた機器、画像形成装置に関する。
【背景技術】
【０００２】
複写機、ファクシミリ、プリンタ、これらの複合機のような画像形成装置や、そのような画像形成装置と組み合わせて用いる大量排紙装置のような機器においては、プリントアウトした用紙を排紙し、スタックしておくための排紙トレイが装備されている。
【発明の概要】
【発明が解決しようとする課題】
【０００３】
ところで、主に試し印刷などをした用紙が排紙される排紙トレイ（例えば、主にＡ３用紙等の排紙方向の長さが比較的長い用紙が排紙される排紙トレイ）を備えた画像形成装置においては、Ａ３ノビ、レターサイズ、１３ｘ１９．２インチ（３３．０２ｃｍ×４８．７６８ｃｍ）というサイズの用紙のような大きいサイズの用紙が使用される傾向になってきている。
【０００４】
ところが、図８、図９に示すように、排紙トレイ１が装備された機器、例えば大量排紙装置等の上流側機器２よりも用紙Ｐの排出方向でさらに下流機側に、例えば綴じ装置等の他の機器３が設置される場合、下流側の機器３の外周面４が、上流側機器２の排紙トレイ１の排出端１ａにとっては壁になってしまい（図では壁になる部分に斜線を施して示してある。）、上述したＡ３ノビのような大きいサイズの用紙Ｐの排出方向先端が壁にぶつかってしまう場合がある。
【０００５】
そこで本発明においては、排紙トレイの先端部における排紙の引っかかりを無くすことができる構造を提供することを目的とする。
【課題を解決するための手段】
【０００６】
本発明の排紙トレイ構造のうち請求項１に係るものは、用紙の排紙部の用紙排出方向先端に、排出される用紙の移動方向を上方へ向ける斜面部を有することを特徴とする。
【０００７】
同請求項２に係る排紙トレイ構造は、用紙の排紙部の排出口から離れた箇所に、排出される用紙の移動方向を上方へ向ける斜面部を有することを特徴とする。
【０００８】
同請求項３に係るものは、請求項１または２の排紙トレイ構造において、前記斜面部が、排出される用紙の移動方向に凹みつつ斜め上方へ向かう斜面をなすことを特徴とする。
【０００９】
同請求項４に係るものは、請求項１または２の排紙トレイ構造において、前記斜面部が、排出される用紙の移動方向に凹みつつ斜め上方へ向かう斜面をなすことを特徴とする。
【００１０】
同請求項５に係るものは、請求項１または２の排紙トレイ構造において、前記斜面部が、排出される用紙の移動方向に凹みつつ斜め上方へ向かう斜面を用紙の移動方向で前半部分に設け、後半部分に上方へ若干凸となる曲線を描く斜面部分を設けてなることを特徴とする。
【００１１】
同請求項６に係るものは、請求項１または２の排紙トレイ構造において、前記斜面部が、二つの斜面を角度をつけてそのまま連絡させてなり、該連結させた部分に、二つの斜面の間をつなぐ第３の斜面を設け、該第３の斜面が、排出されてきた用紙を斜め上方へ向ける面を有することを特徴とする。
【００１２】
同請求項７に係るものは、請求項６の排紙トレイ構造において、前記第３の斜面を、断面が三角形状のつなぎ部分で構成してなることを特徴とする。
【００１３】
同請求項８に係るものは、請求項１または２の排紙トレイ構造において、前記第３の斜面を、前記前半部分と後半部分をなす斜面とは傾斜角度が異なる斜面で構成してなることを特徴とする。
【００１４】
同請求項９に係るものは、画像形成装置から排出される用紙を集積する用紙スタック装置であって、請求項１から８のいずれかに記載の排紙トレイ構造を有する排紙トレイを備えたことを特徴とする用紙スタック装置である。
【００１５】
同請求項１０に係るものは、画像形成部と、該画像形成部での画像形成を経た用紙を排出する排紙トレイを備え、該排紙トレイが、請求項１から８のいずれかに記載の排紙トレイ構造を有することを特徴とする画像形成装置である。
【発明の効果】
【００１６】
本発明によれば、排紙部の排紙方向先端側に斜面を持つ排紙トレイとすることで、排紙方向サイズが長い用紙の排紙の際における引っかかりを無くすことができる。
【図面の簡単な説明】
【００１７】
【図１】本発明に係る排紙トレイを採用した大量排紙装置の一実施例を示す斜視図
【図２】図１に示した大量排紙装置を、画像形成装置とフィニッシャーの間に組み合わせた例を示す斜視図
【図３】排紙トレイの部位の拡大斜視図
【図４】排紙トレイへ用紙が排紙されてきた状態の断面図
【図５】斜面部をほとんど登り切る状態まで排紙されるサイズの用紙の排紙完了状態を示す斜視図
【図６】斜面部の各種の斜面形状の実施例を示す概念的断面図
【図７】斜面部の他の各種の斜面形状の実施例を示す概念的断面図
【図８】従来の排紙トレイで用紙が排紙されてきた下流機の側面に当たる状態の斜視図
【図９】従来の排紙トレイへ用紙が排紙されてきた状態の断面図
【発明を実施するための形態】
【００１８】
画像形成装置の排紙トレイの排紙口において、排紙方向先端側に斜面を設けることで、排紙の際の用紙先端の引っかかりを無くす。
【実施例】
【００１９】
以下、図面を参照して本発明に係る実施例を説明する。なお、以下では従来の例と共通する部分には同一の符号を付して説明する。
【００２０】
＜実施例１＞
図１は、本発明に係る排紙トレイを採用した大量排紙装置の一実施例を示す斜視図である。図中１０は大量排紙装置で、１１は装置本体であり、上面に従来の例とほぼ同様の形状を有する排紙トレイ１２が設けてある。図中１３は開閉可能な前ドア、１４は前ドア１３を開閉操作するための取手（切り欠き状に形成してある）、１５は大量排紙装置１０の装置本体１１の上面に設けた表示部である。前ドア１２は図１中の左側を支点に回動開閉可能になっている。
【００２１】
また図２は、図１に示した大量排紙装置１０を、画像形成装置２０と排紙されてきた用紙を綴じるなどするためのフィニッシャー３０と組み合わせた例を示す斜視図、図３は排紙トレイ１２の部位の拡大斜視図である。
【００２２】
図１、図２に示すように、排紙大量排紙装置１０の後流側の機器であるフィニッシャー３０の排紙トレイ１２の出側部分に位置する面が、排紙トレイ１２へ排紙される用紙先端がぶつからないように、排紙トレイ１２の出側部分には、傾斜の異なる二つの斜面を連結して形成した斜面部、詳細には、排出方向へ向かって凹みつつ、かつなだらかに上方へカーブする斜面部１２ａが設けてある。なお１２ｂは排紙トレイ１２の中央に排紙方向に沿って設けた溝部である。
【００２３】
図４は、このような排紙トレイ１２へ用紙Ｐが排紙されてきた状態を示す断面図である。用紙Ｐは、通常のように排紙されてきて、長さが短ければ出側部分の斜面部１２ａへ到達せずに終わる。一方、排紙方向に長いサイズの用紙Ｐが排紙されてくると、用紙Ｐの先端は斜面部１２ａに沿って上方へと進行方向を変えていく。
【００２４】
この図４からよく分かるように、このような排紙状態になっても、後流側の機器であるフィニッシャー３０の排紙トレイ１２の出側部分に位置する壁面３０ａは、排紙される用紙Ｐの先端に対して壁となることはない。したがって、サイズが大きい用紙を想定しても、排紙トレイ１２の先端の斜面部１２ａを設けることで、排紙の際の引っかかりを無くせる。
【００２５】
図５は、用紙Ｐのサイズが斜面部１２ａを超えて後流側のフィニッシャー３０まで到達することはないが、斜面部１２ａをほとんど登り切る状態まで排紙されるサイズの用紙Ｐの排紙完了状態を示す。この場合、フィニッシャー３０の壁面３０ａによる問題はないが、壁面３０ａが迫っているため、用紙Ｐを取り出しにくいことが考えられる。しかし本実施例では、斜面部１２ａの上端近くまで溝部１２ｂを伸ばして設けてあるので、図４の状態でも手指を溝部１２ｂ内へ入れて、容易に用紙Ｐを取り出せる。
【００２６】
＜実施例２＞
図６は、斜面部１２の各種の斜面形状例を示す概念的断面図である。図６（Ａ）は二つの斜面を角度をつけてそのまま連絡させた形状を示す。図６（Ｂ）は、実施例１と同様の斜面構成部分が用紙の移動方向で前半部分にあり、後半部分は斜面（連結する二つの斜面のうちの上側の斜面）が上方へ若干凸となる曲線を描くようにカーブさせた形状を示す。
【００２７】
＜実施例３＞
図７は、斜面部１２の他の各種の斜面形状例を示す概念的断面図である。図７（Ａ）は二つの斜面を角度（鈍角をなす）をつけてそのまま連絡させた形状であるが、連結部分に断面が三角形状のつなぎ部分１２ｃを設けてあり、図７（Ｂ）は二つの斜面の間をつなぐ第３の斜面１２ｄを設けてある。いずれの斜面形状も、引っ掛かりや突き当たりを無くして用紙を排紙できる。なお図７（Ａ）の例は、用紙の移動方向で後ろ側の面、すなわち排出されてきた用紙が先ず当たる面が後半側の斜面と同様に前半部分と鈍角をなし、斜め上方へ向く面を有するものであればよく、図示の例のような三角形の断面形状のものには限定されない。
【符号の説明】
【００２８】
１０：大量排紙装置
１１：装置本体
１２：排紙トレイ
１２ａ：斜面部
１２ｂ：溝部
１２ｃ：斜面部のつなぎ部分
１２ｄ：斜面部の第３の斜面
１３：前ドア
１４：取手
１５：表示部
２０：画像形成装置
３０：フィニッシャー
３０ａ：フィニッシャーの壁面
Ｐ：用紙
【先行技術文献】
【特許文献】
【００２９】
【特許文献１】特開平０６‐０４８６３６号公報
【特許文献２】特開平１１‐０６００２３号公報
【特許文献３】特開２００５‐０８２３８９号公報
【特許文献４】特開平０５‐０７８００２号公報
【図１】
2012188243.tif 000003
【図２】
2012188243.tif 000004
【図３】
2012188243.tif 000005
【図４】
2012188243.tif 000006
【図５】
2012188243.tif 000007
【図６】
2012188243.tif 000008
【図７】
2012188243.tif 000009
【図８】
2012188243.tif 000010
【図９】
2012188243.tif 000011